(57)【要約】      （修正有）【課題】戦争シミュレーションゲームに利用可能なペレット発射手榴弾において、再利用可能な発射体発射構造を提供する。【解決手段】手榴弾１０は、少なくとも一つの螺旋状発射管を含む筐体１２を含み、前記螺旋発射管は殿端と砲口端２４，２６を有する。複数の発射体１８は、殿端と砲口端２４，２６の間において螺旋状発射管内に装填される。前記手榴弾１０は、螺旋状発射管の殿端に結合された、圧縮されたガスを格納するためのガス貯蔵器を含む。弁は、前記貯蔵器から前記螺旋状発射管の殿端への圧縮されたガスの流れを制御するために、前記貯蔵器と前記螺旋状発射管の殿端の間に置かれる。前記弁は、閉じた状態と開いた状態の間において移動可能であり、ここで前記圧縮されたガスは前記螺旋状発射管の殿端に入ることにより発射体１８を前記砲口端２４，２６から推進し、前記弁はその開いた状態に向かって付勢されている。【選択図】図５
2009145034.tif 000002
【特許請求の範囲】
【請求項１】
殿端（breech end）と砲口端を有する少なくとも一つの螺旋状発射管と、
前記殿端と前記砲口端の間において前記発射管に装填される複数の発射体と、
前記発射管の前記殿端に結合された、前記発射体を前記発射管の前記砲口端から推進するための圧力供給部
を備えた手榴弾。
【請求項２】
前記圧力供給部が圧縮ガスを格納するためのガス貯蔵器を備え、
前記ガス貯蔵器と前記発射管の殿端の間に置かれた、前記ガス貯蔵器から前記発射管の前記殿端への圧縮ガスの流れを制御するための弁をさらに備え、
前記弁は閉じた状態と開いた状態の間において移動可能であり、
前記発射体を前記砲口端から推進するために、前記圧縮ガスは前記発射管の前記殿端に入り、
前記弁に結合された始動機構をさらに備え、
前記始動機構は、前記始動機構が前記弁をその閉状態に保持するロック状態と、前記弁がその開状態に自由に移動する非ロック状態の間において動作し、
前記弁に結合された、前記弁のその開状態への移動を遅延させるための遅延機構をさらに備えている、請求項１に記載の手榴弾。
【請求項３】
前記遅延機構が、流体の量を保持するための流体貯蔵器を備えており、
前記流体貯蔵器は、流体を前記流体貯蔵器から放出するための放出開口部と、前記流体貯蔵器内に保持されたピストンを有し、
前記ピストンは、前記弁と前記ピストンが一緒に移動するように前記弁に結合されており、
前記弁はその開状態に向かって付勢されており、
前記弁が開状態に移動すると、前記弁が前記ピストンに前記流体を前記流体貯蔵器から外かつ前記放出開口部から外に押し出すことを促すように、前記ピストンが前記流体貯蔵器において方向を合わされており、
前記放出開口部は、前記放出開口部を通じた流体の放出を制限することにより前記ピストンの動きを遅延させるように寸法決めされている、請求項２に記載の手榴弾。
【請求項４】
前記始動機構が前記筐体に取り外し可能に装着されたピンを備えており、前記ピンが前記ピストンに結合されていることにより、前記ピンが前記筐体に装着されているときに前記ピストンが移動することを防ぐ、請求項３に記載の手榴弾。
【請求項５】
前記流体貯蔵器が第二の放出開口部を有し、前記ピストンに軸が装着され、前記軸は前記ピストンが移動すると前記第二の放出開口部内においてぴったりとスライドするように寸法決めされ構成された遠位端を有し、前記軸の前記遠位端は前記弁がその開状態になる直前に前記第二の放出開口部を通じて前記流体が高速に放出されることを可能にするように寸法決めされ構成されている、請求項３に記載の手榴弾。
【請求項６】
前記始動機構が前記筐体に取り外し可能に装着されたピンを備えており、前記ピンが前記軸に結合されていることにより、前記ピンが前記筐体に装着されているときに前記ピストンが移動することを防ぐ、請求項５に記載の手榴弾。
【請求項７】
前記手榴弾が二つの螺旋状発射管を備えており、前記発射管のそれぞれが殿端及び砲口端並びに前記殿端と前記砲口端の間の複数の発射体を有し、前記発射管の前記殿端が前記ガス貯蔵器に結合されており、前記手榴弾が対向する側面を有し、かつ前記発射管の前記砲口端が前記手榴弾の前記対向する側面上に位置する、請求項１に記載の手榴弾。
【請求項８】
第一の斜面が前記発射管のうちの一つの前記砲口端に近接して前記筐体上に形成され、第二の斜面が他の前記発射管の前記砲口端に近接して前記筐体上に形成され、前記第一及び第二の斜面が前記発射体を偏向させるように寸法決めされ構成されている、請求項７に記載の手榴弾。
【請求項９】
前記第一の斜面が前記発射体を第一の方向に偏向させるように構成されており、前記第二の斜面が前記発射体を第二の方向に偏向させるように構成されており、前記第二の方向が前記第一の方向と異なっている、請求項８に記載の手榴弾。
【請求項１０】
筐体と、
殿端と砲口端を有する、前記筐体内に含まれる少なくとも一つの発射管と、
前記殿端と前記砲口端の間において、前記発射管に装填される複数の発射体と、
前記発射管の前記殿端に結合された圧縮ガスを格納するためのガス貯蔵器と、
前記貯蔵器と前記発射管の前記殿端の間に間置された、前記貯蔵器から前記発射管の前記殿端への圧縮ガスの流れを制御するための、閉状態と開状態の間において移動可能な弁であって、前記圧縮ガスが前記発射管の前記殿端に入ることにより前記砲口端から前記発射体を推進する、その開状態に付勢されている弁と、
前記弁に結合された始動機構であって、前記始動機構が前記弁をその閉状態に保持するロック状態と、前記弁がその開状態に自由に移動する非ロック状態の間において動作する始動機構と、
前記弁のその開状態への移動を減速させるための、前記弁に結合された遅延機構であって、前記遅延機構は流体の量を保持するための流体貯蔵器を備えており、前記流体貯蔵器は前記流体貯蔵器から流体を放出するための放出開口部を有し、前記弁は前記弁とピストンが一緒に移動するように前記ピストンに結合されており、前記ピストンは前記弁がその開位置に移動すると前記流体貯蔵器から前記流体を押し出すように前記流体貯蔵器内において位置決めされており、前記放出開口部は前記放出開口部を通じた前記流体の放出を制限することにより前記ピストンの移動を遅延させるように寸法決めされている、遅延機構
を備えた手榴弾。
【請求項１１】
前記始動機構が前記筐体に取り外し可能に装着されたピンを備えており、前記ピンが前記ピストンに結合されていることにより、前記ピンが前記筐体に装着されているときに前記ピストンが移動することを防ぐ、請求項１０に記載の手榴弾。
【請求項１２】
前記流体貯蔵器が第二の放出開口部を有し、前記ピストンに軸が装着され、前記軸は前記ピストンが移動すると前記第二の放出開口部内においてぴったりとスライドするように寸法決めされ構成された遠位端を有し、前記軸の前記遠位端は前記弁がその開状態になる直前に前記第二の放出開口部を通じて前記流体が高速に放出されることを可能にするように寸法決めされ構成されている、請求項１０に記載の手榴弾。
【請求項１３】
前記始動機構が前記筐体に取り外し可能に装着されたピンを備えており、これにより前記ピンが前記筐体に装着されたままであるときに前記ピンが前記ピストンが移動することを防ぐ、請求項１２に記載の手榴弾。
【請求項１４】
前記ガス貯蔵器と前記流体貯蔵器が互いに連続していてかつ前記ピストンにより分離されており、前記ピストンが物理的に前記弁に結合されていることにより前記ガス貯蔵器内の加圧されたガスが前記弁をその開状態に付勢するように前記ピストンに対して作用する、請求項１０に記載の手榴弾。
【請求項１５】
前記弁が前記発射管の前記殿端と前記ガス貯蔵器の間に間置されたカラーと封止部材を備えており、前記カラーは遮られていないときに前記ガス貯蔵器から前記発射管の前記殿端に加圧されたガスを運ぶように寸法決めされ構成されており、前記封止部材は前記カラーを封止する第一の位置と前記カラーを遮らない第二の位置の間において移動可能であり、前記封止部材が接続部材によって前記ピストンに装着されている、請求項１４に記載の手榴弾。
【請求項１６】
前記カラーが管状の通路を備えており、前記封止部材が前記カラー内においてスライドするように寸法決めされ構成されており、前記ピストンが前記封止部材をその第二の位置に移動させたときに前記封止部材が前記カラーの外にあるように前記カラーがさらに寸法決めされている、請求項１５に記載の手榴弾。
【請求項１７】
前記発射管が螺旋状にされている、請求項１０に記載の手榴弾。
【請求項１８】
前記手榴弾が二つの螺旋状の発射管を備えており、各発射管が殿端と砲口端を有し、両方の前記発射管の前記殿端が前記弁に結合されている、請求項１０に記載の手榴弾。  
【請求項１９】
前記螺旋状にされた発射管が二重螺旋配列に配置されている、請求項１８に記載の手榴弾。
【請求項２０】
筐体と、
それぞれ殿端と砲口端を有する、前記筐体内に含まれた複数の発射管と、
前記殿端と前記砲口端の間において、前記発射管のそれぞれに装填される複数の発射体と、
前記発射管の前記殿端に結合された圧縮ガスを格納するためのガス貯蔵器と、
前記貯蔵器と前記発射管の前記殿端の間に間置された、前記貯蔵器から前記発射管の前記殿端への圧縮ガスの流れを制御するための、閉状態と開状態の間において移動可能な弁であって、前記圧縮ガスが前記発射管の前記殿端に入ることにより前記発射管の前記砲口端から前記発射体を推進する、その開状態に付勢されている弁と、
前記弁に結合された始動機構であって、前記始動機構が前記弁をその閉状態に保持するロック状態と、前記弁がその開状態に自由に移動する非ロック状態の間において動作する始動機構と、
前記弁のその開状態への移動を減速させるための、前記弁に結合された遅延機構であって、前記遅延機構は流体の量を保持するための流体貯蔵器を備えており、前記流体貯蔵器は前記流体貯蔵器から流体を放出するための放出開口部を有し、前記弁は前記弁とピストンが一緒に移動するように前記ピストンに結合されており、前記ピストンは前記弁がその開位置に移動すると前記流体貯蔵器から前記流体を押し出すように前記流体貯蔵器内において位置決めされており、前記放出開口部は前記放出開口部を通じた前記流体の放出を制限することにより前記ピストンの移動を遅延させるように寸法決めされている、遅延機構
を備えた手榴弾。
【発明の詳細な説明】
【技術分野】
【０００１】
（発明の分野）
本発明は、一般に射撃プラスチックペレットのための模造手榴弾に関する。
【背景技術】
【０００２】
（発明の背景）
ペレット発射手榴弾は、戦争シミュレーションゲームのプレイ中における使用のために利用可能である。ペレット発射手榴弾は、一般に加圧された空気貯蔵器にごく接近している薬室において大まかに含まれる多量のペレットを含んでいる空洞の筐体から構成される。弁は、一般に空気貯蔵器と薬室を含んでいるペレットの間に提供される。弁開口部上に、加圧されたガスの流れが薬室から進ませるためのペレットを引き起こし得る。薬室を含んでいるペレットは、弁が開かれそれによって手榴弾が「爆発する」時、ペレットに手榴弾を逃れる方法を可能にする時、壊れ得る数区画からたびたび生成される。多くの場合において、化学的な発射火薬は、ペレットを発射するために必要なガス圧力を生成するために使用される。
【０００３】
先だって手榴弾を発射するペレットが、安全及び便利な方法において、本物の手榴弾の作用をシミュレートするための方法を提供する一方で、以前の設計に関連した多数の欠点が存在する。最初に、ペレットを分散又は発射する方法は、ペレットに対してたくさんの運動エネルギーを与えず、それによってペレットが短距離だけを移動するので、手榴弾の「有効範囲」を大いに制限する。手榴弾が活性化された後、手榴弾の「爆発」を遅らせるための手榴弾を発射する以前のペレットにおいて使用された遅延構造もまた信頼性にを欠く。さらにその上、手榴弾を発射する設計の以前のペレットは、使用するには複雑であり、製造するには高価である。従って、ペレットに対する、より効率的に与える運動エネルギーの能力がある、より経済的かつ信頼できる手榴弾設計が必要とされる。
【発明の開示】
【課題を解決するための手段】
【０００４】
（発明の要旨）
本発明の一つの局面によれば、改良された信頼性及び改良された性能を備えた改良された手榴弾が提供される。本発明の手榴弾は、殿端及び砲口端を有する少なくとも一つの螺旋発射管を含む。複数の発射体は、殿端と砲口端の間の前記発射管において搭載される。手榴弾は、発射筒の砲口端からの発射体を発射するために、発射管を十分に加圧するための殿端に結合された圧力源を含む。
【０００５】
本発明の別の局面によれば、そこには殿端及び砲口端を有する少なくとも一つの発射管を含んでいる筐体を含む改良された手榴弾が提供される。複数の発射体は、殿端と砲口端の間の発射管において搭載される。手榴弾は、圧縮ガスを格納するために、発射管の殿端に接合されるガス貯蔵器をさらに含む。弁は、貯蔵器から発射管の殿端までの圧縮ガスの流れを制御するために発射管の殿端と貯蔵器の間に間置される。弁は閉状態と開状態の間を移動可能であり、そこで前記圧縮ガスは、開口状態の方へ付勢されている弁の殿端の砲口端から発射体を進めるために発射管の殿端に入る。手榴弾は、弁に接合されたトリガー機構をさらに含む。トリガー機構は、トリガー機構が弁を閉状態に保持するロック状態と、弁が開状態に自由に移動し得る非ロック状態の間において動作する。さらに、手榴弾は、開状態への弁の移動を遅くするための、弁に結合された遅延機構を含む。遅延機構はある量の流体を保持するための流体貯蔵器から構成され、流体貯蔵器は流体貯蔵器から流体を放出するための放出開口部を有する。弁は、弁及びピストンが一緒に移動するようにピストンに結合される。弁がその開位置に移動すると流体貯蔵器の外に流体を押し出すために、ピストンは流体貯蔵器の中において位置決めされる。放出開口部は、放出開口部を通じた流体の放出を制限することによってピストンの動作を遅延させるように寸法決めされ又は制限される。
【０００６】
前述を考慮することにより、本明細書が進むと、本発明が関連する技術における当業者に他の利点が明らかになるであろう。本発明は本発明の一部を形成する添付の図面の参照によってここに記述され、本明細書は本発明の原理の好適な典型的実施例の記述を含む。
【発明を実施するための最良の形態】
【０００７】
（発明の詳細な説明）
最初に図７，８及び９を参照すると、本発明により作られた、一般に品物１０として示される手榴弾は、その中に形成された一対の螺旋発射管１４及び１６を有する筐体１２を含む。螺旋発射管１４及び１６は、殿端（breech end）２０及び２２と砲口端２４及び２６を有する（図５参照）。複数の発射体１８は、前記発射管の中に含まれる。前記手榴弾は、前記発射体を前記発射管の外に発射するために発射管を十分に加圧するための圧力源２８をさらに含む。圧力源２８は、好適にはある量の圧縮されたガスを格納するためのガス貯蔵器から構成される。弁３０は、殿端２２及び２０とガス貯蔵器２８との間に位置する。弁３０は、図７に示されるような、前記弁が貯蔵器２８から殿端２０及び２２への加圧されたガスの流れを防ぐ閉状態と、図９に示されるような開状態との間において移動可能である。後で説明されるように、弁３０はガス貯蔵器２８内に含まれる空気圧によってその開位置に向かって付勢されている。始動機構３２は弁３０に結合されて、弁３０をその閉位置に保持するように動作する。始動機構３２は、カラー４２の開口部３６内に含まれる取り外し可能なピン３４を含む。カラー４２は、弁３０に結合された軸４０の終端３８を受け取るように寸法決めされた通路４４を有する。ピン３４がカラー４２内の位置に留まるとき、始動機構はそのロック位置にあって、弁３０がその開位置に移動することを防ぐ。始動機構３２はピン３４をカラー４２から引き出すことにより、その非ロック位置にセットされる。ピン３４は終端３８が通路４４を移動するように解放し、これにより、図９に示されるように前記弁がその開位置に移動することを可能にする。遅延機構４６もまた、弁３０の移動を減速させるために弁３０に結合される。
【０００８】
遅延機構４６は、水又は空気のようなある量の流体を保持するための流体貯蔵器４８から構成され、前記貯蔵器は前記貯蔵器に含まれる流体をゆっくりと抜けさせる放出開口部５２を有する。ピストン５０は前記貯蔵器内に含まれ、軸４０によって弁３０に結合されている。弁３０は、貯蔵器４８より小さい断面直径を有する通路５６内に位置する。そのため、ピン３４がカラー４２から引き出されたとき、チャンバ２８内のガス圧力は、ピストン５０に対して、当該ピストンが弁３０をカラー４２に沿って引っ張るカラー４２に向かって移動するように作用する。ピストン５０はカラー４２に向かって移動するため、ピストン５０は流体が放出部５４を通るように流体を押し出す。放出部５４は比較的狭いため、前記流体貯蔵器を空にするためには数秒掛かり、これにより弁３０の移動を遅延させる。弁３０が通路５６を一掃するとき、チャンバ２８からの加圧されたガスは殿部２０及び２２を通過し、これにより発射体１８を発射する。
【０００９】
軸４０の終端３８は、通路４４内に適合するように寸法決めされている。終端３８には通路４４を封止するように作用するシール６０が設けされ、流体が流体貯蔵器４８と開口部３６との間において前記通路を通って通過することを防ぐ。しかし、終端３８は空隙５８により通路４４から分離されている。終端３８が図９に示される位置に移動するとき、シール６０は開口部３６を過ぎ、これにより流体が貯蔵器４８から開口部３６を出て高速に流出することを可能にする。開口部３６は、今度は弁３０がその完全に開いた位置に移動することを可能にする。
【００１０】
手榴弾１０の底部には、取り外し可能なキャップ６６が設けられる。軸４０には、一方向弁６４を有する内部通路６２が設けられる。キャップ６６が取り外されたとき、使用者はガスチャンバを加圧するために弁６４に送気管（不図示）を付けることによってチャンバ２８を加圧することができる。その後キャップ６６は元の位置に戻される。流体貯蔵器４８は栓６８を取り外し、その後開口部５４を通じて前記貯蔵器を満たすことによっても補充され得る。前記貯蔵器を満たした後、栓６８は元の位置に戻される。
【００１１】
さて図５を参照すると、砲口端２４及び２６は手榴弾１０の対向する側面Ｂ及びＡ上に位置する。砲口端２４及び２６は、発射体１８が対向する方向に殿端から外に発射されるように位置決めされ、これにより矢印７８により示されるように前記手榴弾に時計回りの回転を与える。発射体１８は、フィンガ７２及び７０によりそれぞれ砲口端２４及び２６に保持される。フィンガ７０及び７２は、前記発射体に前記フィンガを過ぎさせるほど十分に前記発射管が加圧されるまで、発射体１８を前記発射管の砲口端に保持するように寸法決めされ構成されている。斜面７４及び７６は、それぞれ砲口端２６及び２４に近接して手榴弾１０の筐体１２上に形成される。図２に見られるように、発射体１８を下方に偏向させるように斜面７６は寸法決めされ構成されている。図１に見られるように、発射体１８を上方に偏向させるように斜面７４は寸法決めされ構成されている。結果として、前記手榴弾から発射体が発射されると、追加の移動が前記手榴弾に与えられる。前記発射体は前記手榴弾の異なる側面から異なる方向に発射されるため、発射体を発射することにより与えられる前記手榴弾の移動はよりランダムであり、前記移動が前記発射体をよりランダムな方向に散乱させる。
【００１２】
さて図３及び４を参照して、発射管１６及び１４は好適には螺旋状であり、二重螺旋配置に配置されている。前記配置は、前記手榴弾に詰められ得る発射体の数を最大化する。
【００１３】
本発明は、先行技術を越える多くの利点を有する。特に、螺旋状発射管は、多数の発射体が前記手榴弾内に詰められることを可能にする。さらにその上、前記手榴弾の対向する側面上の発射管の砲口端の位置決め、及び前記発射体を異なる方向に偏向させる斜面の位置決めは、前記発射体のよりランダムな散乱をもたらす。さらにその上、弁機構及び遅延機構の堅牢な設計は、信頼可能な性能と共に手榴弾の容易な補充及び再装填を可能にする。最後に、発射体を格納して発射するための発射管の使用は、ペレット弾への運動エネルギーの非常に効率的な転送をもたらし、より大きい距離に発射されるペレット弾をもたらす。
【００１４】
本発明の特定の実施形態が開示された。しかし、開示された実施形態の数個の変形は、本発明の範囲内として想定され得る。本発明は上述の実施形態に限定されないことが理解されるべきであるが、添付の請求項の範囲内の任意かつ全ての実施形態を包含する。
【図面の簡単な説明】
【００１５】
図面において参照する類似した特徴は、異なる図面において対応する部分を示す。
【００１６】
【図１】手榴弾の一つの側面から発射されている発射体を示す本発明により製造された手榴弾の斜視図である。
【図２】手榴弾の反対の側面から発射されている発射体を示す図１に示される手榴弾の斜視図である。
【図３】発射管の螺旋配置を示す本発明により製造された手榴弾の模式図である。
【図４】発射体で満たされた発射管を示す部分的な断面における図１の手榴弾の斜視図である。
【図５】発射管の砲口端に隣接した発射体を示す図１の手榴弾の平面図である。
【図６】発射管の一つの砲口端を示す手榴弾の斜視図である。
【図７】ロック状態におけるトリガー機構及び閉状態における弁を示す図１において示された手榴弾の縦断面図である。
【図８】非ロック状態におけるトリガー機構を示し、かつその開状態と閉状態の間の弁を示す図１において示された手榴弾の縦断面図である。
【図９】開状態における弁を示す図１において示された手榴弾の縦断面図である。
【図１】
2009145034.tif 000003
【図２】
2009145034.tif 000004
【図３】
2009145034.tif 000005
【図４】
2009145034.tif 000006
【図５】
2009145034.tif 000007
【図６】
2009145034.tif 000008
【図７】
2009145034.tif 000009
【図８】
2009145034.tif 000010
【図９】
2009145034.tif 000011
【外国語明細書】
2009145034000001.pdf